(57)【要約】【課題】内容物を意図する定量ずつ繰り出すことができ、かつ構成部品が少なく、構成が簡単な定量繰り出し容器を提供する。【解決手段】リフタースリーブ４がガイドスリーブ３と共にボディーケース２に対して相対回転して軸線方向に移動した移動量を表示する情報表記部がリフタースリーブ４とガイドスリーブ３とのいずれか一方に設けられ、情報表記部をボディーケース２の外側に視認可能に露出させる窓孔１７がボディーケース２に設けられている。ボディーケース２ならびにガイドスリーブ３およびリフタースリーブ４は内容物を収容し、かつ繰り出すための基本的な構成部材であり、これらの部材によって内容物の繰り出し量あるいは残量を表示でき、あるいは使用者に知らせることができ、したがって構成部材を増やすことなく、構成の簡単な定量繰り出し容器を得ることができる。【選択図】図１
2020081188.tif 000002
【特許請求の範囲】
【請求項１】
内周面に螺旋溝が形成された円筒状のボディーケースと、
前記ボディーケースの内部に回転可能でかつ軸線方向に移動できないように挿入されるとともに、前記軸線方向での一方の端部が前記ボディーケースから延び出ているガイドスリーブと、
前記ガイドスリーブの前記ボディーケースの内部に挿入されている部分の周壁部を前記周壁部の板厚方向に貫通し、かつ前記ガイドスリーブの周壁部の軸線方向に沿って形成されたガイド部と、
前記ガイドスリーブの軸線方向に前後動するように前記ガイドスリーブの内部に保持され、かつ軸線方向での一方の端部である上端部に内容物を保持するリフタースリーブと、
前記リフタースリーブから前記ガイド部を貫通して突出して前記螺旋溝に係合する係合突起と
を有する定量繰り出し容器において、
前記リフタースリーブが前記ガイドスリーブと共に前記ボディーケースに対して相対回転して前記軸線方向に移動した移動量を表示する情報表記部が前記リフタースリーブと前記ガイドスリーブとのいずれか一方に設けられ、
前記情報表記部を前記ボディーケースの外側に視認可能に露出させる表示部が前記ボディーケースに設けられている
ことを特徴とする定量繰り出し容器。
【請求項２】
請求項１に記載の定量繰り出し容器において、
前記情報表記部は、前記リフタースリーブの外周面に設けられ、
前記表示部は、前記ボディーケースのうち前記情報表記部に前記軸線方向および前記軸線方向に垂直な半径方向で一致する位置に設けられた窓孔であり、
前記ガイドスリーブは、前記情報表記部および前記窓孔に前記軸線方向および前記半径方向で一致する位置に透光部を備えている
ことを特徴とする定量繰り出し容器。
【請求項３】
請求項２に記載の定量繰り出し容器において、
前記情報表記部は、前記リフタースリーブが回転しつつ軸線方向に移動する際に前記窓孔に前記軸線方向および前記半径方向で一致するように前記リフタースリーブの外周面に螺旋状に設けられ、
前記透光部は、前記ガイドスリーブに設けられた貫通部分と透明部分とのいずれかによって構成されている
ことを特徴とする定量繰り出し容器。
【請求項４】
請求項３に記載の定量繰り出し容器において、
前記ボディーケースは、前記ガイドスリーブを内周側に嵌合させかつ前記ガイドスリーブを前記ボディーケースに対して抜け止めしたリング部を、前記ガイドスリーブが延び出ている端部に有し、
前記窓孔は、前記リング部に形成されている
ことを特徴とする定量繰り出し容器。
【請求項５】
請求項４に記載の定量繰り出し容器において、
前記リング部の内周面と前記ガイドスリーブの外周面とに、前記ガイドスリーブが前記ボディーケースに対して相対的に回転することにより、互いに弾性的に噛み合いまた前記噛み合いが外れる複数のクリック歯が前記リング部および前記ガイドスリーブの円周方向に一定間隔で形成されている
ことを特徴とする定量繰り出し容器。
【請求項６】
請求項５に記載の定量繰り出し容器において、
前記クリック歯は、前記リフタースリーブが前記ガイドスリーブの開口端側に移動するように前記ガイドスリーブが前記ボディーケースに対して相対的に正回転する際には前記噛み合いが外れ、かつ前記正回転とは反対の負回転方向には前記噛み合いが外れないラチェット歯となっていることを特徴とする定量繰り出し容器。
【請求項７】
請求項１ないし６のいずれか一項に記載の定量繰り出し容器において、
前記リフタースリーブは、前記上端部にピストンを有し、
前記ピストンと前記ガイドスリーブとによって前記内容物を収容する収容室が形成され、
前記ピストンの外周部には、前記収容室の圧力が高くなることによって前記ガイドスリーブの内周面に押し付けられる力が増大するリップシール片部が設けられている
ことを特徴とする定量繰り出し容器。
【請求項８】
請求項４ないし６、および請求項４を引用する請求項７のいずれか一項に記載の定量繰り出し容器において、
前記ガイドスリーブの前記ボディーケースから延び出ている部分を覆うキャップを更に備え、
前記キャップは、前記リング部に嵌合して前記窓孔を外部に対して隠蔽するように構成されている
ことを特徴とする定量繰り出し容器。
【発明の詳細な説明】
【技術分野】
【０００１】
この発明は、外装体に対して回転させることのできる回転部を有し、その回転部を回転させることにより、内容物を吐出させることのできる繰り出し容器に関し、特に意図する一定量を吐出させることの容易な繰り出し容器に関するものである。
【背景技術】
【０００２】
繰り出し容器は、ネジ機構によって内容物を押し出すように構成された容器であって、従来、口紅や固形の糊あるいはバターなどの固形物のための容器として使用されている。その例が特許文献１ないし３に記載されている。
【０００３】
特許文献１には、繰り出し容器の基本的な構造が記載されており、その繰り出し容器は、外装体と、その内部に回転可能でかつ抜け止めされた状態に嵌合させられているガイド筒と、そのガイド筒の内部に、ガイド筒と共に回転しかつガイド筒に対して軸線方向に移動するように挿入され、さらに外装体の内面に形成された雌ネジ部にガイド筒を貫通して係合している受筒とを有している。さらに、その受筒には、内容物を載せる台座部が設けられている。
【０００４】
また、特許文献２には、スティック状のバターを収容した円筒ケースの下部に、回転押し出しつまみを設け、その回転押し出しつまみを回転することにより、バターをケースから押し出すように構成されたバターケースであって、回転押し出しつまみの上側に隣接して、ケースに対して自由に回転でき、かつ目盛りを付した他のつまみが設けられている。回転押し出しつまみのスタート目盛りと前記他のつまみの目盛りとを合わせ、その位置から回転押し出しつまみを回転させると、前記他のつまみの目盛りからの回転押し出しつまみの回転量が判り、回転押し出しつまみの回転量とバターの押し出し量とが対応しているから、バターの押し出し量が上記の各目盛りから判るようになっている。
【０００５】
さらに、特許文献３には、内容物を収容する本体筒の下端部に雌ネジ部材を取り付け、その雌ネジ部材に螺合するねじ棒を、本体筒の外側に嵌合する操作筒の下端部に起立状態に固定し、本体筒の内部に延びているねじ棒の上端部には、内容物を支持する受け皿を設けた容器が記載されている。本体筒は、操作筒を回転させることにより、ねじ棒と雌ねじ部材とによる作用で、操作筒から延び出し、あるいは本体筒の内部に入り込む。本体筒の外面には、目盛りが付されており、操作筒の上端縁に一致する目盛りが、本体筒の内部に残っている内容物の量を示すようになっている。
【先行技術文献】
【特許文献】
【０００６】
【特許文献１】特許第５２４０８３７号公報
【特許文献２】実開平３−１２３４４７号公報
【特許文献３】実開昭６３−１９４１７９号公報
【発明の概要】
【発明が解決しようとする課題】
【０００７】
特許文献１に記載された容器では、外装体とガイド筒とを相対的に回転させることにより台座部がガイド筒の内部で上下動するので、その上下動のストローク量に応じて内容物がガイド筒から押し出され、またガイド筒の内部に引き入れられる。しかしながら、その押し出し量は使用者が目測するしかなく、正確に知ることができない。
【０００８】
これに対して特許文献２に記載された容器では、押し出しつまみの回転角度もしくは回転量を、スタート目盛りと他のつまみの目盛りとによって知ることができるので、結局、バターを、使用者が意図した定量、押し出すことができる。しかしながら、特許文献２の構成では、先ず、他のつまみの目盛りを押し出しつまみのスタート目盛りに合わせ、その状態で押し出しつまみを回転させてバターを押し出し、その場合の押し出しつまみの回転角度もしくは回転量を、他のつまみの目盛りに対する押し出しつまみの目盛りの回転量によって読み取ることになる。したがって、特許文献２に記載された構成では、最初に、他のつまみの目盛りを押し出しつまみのスタート目盛りに合わせる操作が必要であり、必ずしも操作性がよいとは言い得ない。また、特許文献２の構成では、他のつまみが回転自在であるから、当該他のつまみの目盛りの位置は、押し出しつまみの回転開始の位置あるいはその位置からの回転量を示すのにとどまり、内容物の絶対量もしくは残量を示すものとはなり得ない。しかも、他のつまみは、内容物であるバターを収容したり、押し出したりすることに直接には関係しない部品であって、押し出し量の表示のためにのみ追加される部品である。そのため、特許文献２に記載された構成では、部品点数が増える不都合がある。
【０００９】
さらに、特許文献３に記載された容器は、操作筒と一体のねじ棒の先端部に設けられた受け皿に内容物を支持させ、本体筒と操作筒とを相対的に回転させることにより、本体筒を操作筒の内部に引き込み、これにより、内容物を本体筒の先端側に相対的に突き出させるように構成された容器である。すなわち、本体筒の操作筒に対する侵入量が内容物の突き出し量（繰り出し量）になる。本体筒の外面に付されている目盛りは、このように本体筒の操作筒に対する侵入量を表示するように機能するので、内容物の押し出し量（繰り出し量）を知ることができる。しかしながら、特許文献１に記載されているような容器、すなわち内容物がガイド筒から突き出し、かつそのガイド筒が外装体に対して軸線方向に移動せず、したがって全長が変化しない構成の容器には、特許文献３に記載された表示のための構成は適用できない。さらに、特許文献３に記載された構成では、容器の外表面に０％から１００％までの全ての目盛りが現れるから、内容物によっては意匠上の制約あるいは欠陥になる可能性がある。
【００１０】
この発明は、上記の技術的課題に着目してなされたものであり、内容物を押し出すように構成された容器であって、押し出し量や残量を、部品点数を増加することなく、また意匠性を害することなく表示でき、しかも操作性に優れた繰り出し容器を提供することを目的とするものである。
【課題を解決するための手段】
【００１１】
この発明は、上記の目的を達成するために、内周面に螺旋溝が形成された円筒状のボディーケースと、前記ボディーケースの内部に回転可能でかつ軸線方向に移動できないように挿入されるとともに、前記軸線方向での一方の端部が前記ボディーケースから延び出ているガイドスリーブと、前記ガイドスリーブの前記ボディーケースの内部に挿入されている部分の周壁部を前記周壁部の板厚方向に貫通し、かつ前記ガイドスリーブの周壁部の軸線方向に沿って形成されたガイド部と、前記ガイドスリーブの軸線方向に前後動するように前記ガイドスリーブの内部に保持され、かつ軸線方向での一方の端部である上端部に内容物を保持するリフタースリーブと、前記リフタースリーブから前記ガイド部を貫通して突出して前記螺旋溝に係合する係合突起とを有する定量繰り出し容器において、前記リフタースリーブが前記ガイドスリーブと共に前記ボディーケースに対して相対回転して前記軸線方向に移動した移動量を表示する情報表記部が前記リフタースリーブと前記ガイドスリーブとのいずれか一方に設けられ、前記情報表記部を前記ボディーケースの外側に視認可能に露出させる表示部が前記ボディーケースに設けられていることを特徴としている。
【００１２】
この発明では、前記情報表記部は、前記リフタースリーブの外周面に設けられ、前記表示部は、前記ボディーケースのうち前記情報表記部に前記軸線方向および前記軸線方向に垂直な半径方向で一致する位置に設けられた窓孔であり、前記ガイドスリーブは、前記情報表記部および前記窓孔に前記軸線方向および前記半径方向で一致する位置に透光部を備えていてよい。
【００１３】
この発明では、前記情報表記部は、前記リフタースリーブが回転しつつ軸線方向に移動する際に前記窓孔に前記軸線方向および前記半径方向で一致するように前記リフタースリーブの外周面に螺旋状に設けられ、前記透光部は、前記ガイドスリーブに設けられた貫通部分と透明部分とのいずれかによって構成されていてよい。
【００１４】
この発明では、前記ボディーケースは、前記ガイドスリーブを内周側に嵌合させかつ前記ガイドスリーブを前記ボディーケースに対して抜け止めしたリング部を、前記ガイドスリーブが延び出ている端部に有し、前記窓孔は、前記リング部に形成されていてよい。
【００１５】
この発明では、前記リング部の内周面と前記ガイドスリーブの外周面とに、前記ガイドスリーブが前記ボディーケースに対して相対的に回転することにより、互いに弾性的に噛み合いまた前記噛み合いが外れる複数のクリック歯が前記リング部および前記ガイドスリーブの円周方向に一定間隔で形成されていてよい。
【００１６】
この発明では、前記クリック歯は、前記リフタースリーブが前記ガイドスリーブの開口端側に移動するように前記ガイドスリーブが前記ボディーケースに対して相対的に正回転する際には前記噛み合いが外れ、かつ前記正回転とは反対の負回転方向には前記噛み合いが外れないラチェット歯となっていてよい。
【００１７】
この発明では、前記リフタースリーブは、前記上端部にピストンを有し、前記ピストンと前記ガイドスリーブとによって前記内容物を収容する収容室が形成され、前記ピストンの外周部には、前記収容室の圧力が高くなることによって前記ガイドスリーブの内周面に押し付けられる力が増大するリップシール片部が設けられていてよい。
【００１８】
この発明では、前記ガイドスリーブの前記ボディーケースから延び出ている部分を覆うキャップを更に備え、前記キャップは、前記リング部に嵌合して前記窓孔を外部に対して隠蔽するように構成されていてよい。
【発明の効果】
【００１９】
この発明に係る定量繰り出し容器では、ボディーケースとガイドスリーブとを相対的に回転させると、リフタースリーブは、係合突起がガイドスリーブにおけるガイド部に係合しているので、ガイドスリーブと共にボディーケースに対して回転する。またその係合突起がボディーケースの内周面に設けてある螺旋溝に係合しているから、リフタースリーブがボディーケースの軸線方向に移動し、そのリフタースリーブによって、内容物がガイドスリーブの先端部から繰り出される。その内容物の繰り出し量（リフタースリーブの移動量）は、螺旋溝のリード角と上記の相対回転の回転角度とによって決まる。その移動量を表示する情報表示部がガイドスリーブとリフタースリーブとのいずれか一方に設けられ、ガイドスリーブおよびリフタースリーブがボディーケースに対して回転した角度に相当する情報表示部の情報内容がボディーケースに設けられている表示部を通して外部に露出し、その情報内容によって内容物の繰り出し量を知ることができる。したがって、この発明によれば、内容物を収容し、かつ繰り出すための基本的な構成部材であるボディーケースならびにガイドスリーブおよびリフタースリーブに新たな部材を追加することなく、内容物の繰り出し量を使用者もしくは需用者に知らせることができ、いわゆる定量性のある繰り出し容器の構成を簡素化し、また低廉化できる。
【００２０】
また、この発明では、表示部を通して知ることのできる情報内容は、リフタースリーブの移動量であるから、その情報内容により内容物の繰り出し量を知ることができるだけでなく、内容物の残量をも知ることができる。
【００２１】
さらに、この発明では、リング部を有するボディーケースとすることができ、そのリング部に窓孔を設けることにより、繰り出し容器の全体としての意匠に対する影響もしくは制約を軽減することができる。特に、ガイドスリーブの先端側の部分を覆うキャップをリング部に嵌合させて窓孔を閉じるように構成することができ、このような構成であれば、意匠上の影響や制約を更に軽減できる。
【００２２】
一方、この発明では、クリック歯同士が噛み合う都度、ガイドスリーブとボディーケースとを相対回転させる操作が一旦止められるので、すなわちクリック感が得られるので、それらのクリック歯の間隔で決まる一定量の内容物を、容易に繰り出すことができる。
【００２３】
特に、クリック歯を逆転を阻止するラチェット歯として構成すれば、内容物の残量を表示部を通して知ることができる。
【００２４】
この発明では、ピストンを設けることにより、外部から隔絶した収容室を形成することができるので、高粘度の流動性のある内容物を収容室に収容することができる。その場合は、リフタースリーブによって内容物を繰り出す（押し出す）場合に、収容室の圧力が高くなり、それに伴ってリップシール片部がガイドスリーブの内面に強く押し付けられるので、シール性に優れ、内容物の漏洩のない繰り出し容器とすることができる。
【図面の簡単な説明】
【００２５】
【図１】この発明に係る定量繰り出し容器の一例を示す縦断面図である。
【図２】そのガイドスリーブを示す斜視図である。
【図３】断面円弧状の凹溝として形成されたクリック歯を示す部分拡大図である。
【図４】ピストンのスカート部とリフタースリーブとの嵌合部分を示す部分断面図である。
【図５】センターリングを示す斜視図である。
【図６】センターリングの平面図である。
【図７】センターリングの縦断側面図である。
【図８】第２クリック歯の形状を説明するための部分断面図である。
【図９】リフタースリーブにおける情報表記部の一例を示す斜視図である。
【図１０】ラチェット歯を有するガイドスリーブを示す斜視図である。
【図１１】ラチェット歯を有するセンターリングを示す斜視図である。
【図１２】ラチェット歯の形状を説明するための部分図である。
【発明を実施するための形態】
【００２６】
以下、図面を参照してこの発明の具体例について説明する。図１はこの発明に係る定量繰り出し容器（以下、単に容器と記すことがある。）１の一例を示す断面図であり、この容器１は、基本的な構成部材として、ボディーケース２と、ガイドスリーブ３と、リフタースリーブ４とを備えている。
【００２７】
ボディーケース２は、容器１の全体としてのいわゆる外装体をなすものであって、底部のある円筒状をなしており、内周面には螺旋溝（ネジ溝）５が形成されている。螺旋溝５は、リフタースリーブ４をその軸線方向（図１の上下方向）に移動させるネジ機構の一部を構成しており、内容物を繰り出す際には右回転させるのが一般的であるから、右ネジ溝であることが好ましい。また、二条などの多条ネジ溝であってよい。
【００２８】
ガイドスリーブ３の一例を図２に示してある。ガイドスリーブ３は、円筒状の部材であって、ほぼ下半分がボディーケース２の内部に挿入されてボディーケース２の内面にほぼ密着しており、またほぼ上半分がボディーケース２からその上方（図１での上方）に延び出ている。なお、以下の説明では、ガイドスリーブ３のボディーケース２に挿入されているほぼ下半分の部分を挿入部３Ａと記し、ボディーケース２から延び出ているほぼ上半分の部分を延出部３Ｂと記す。ガイドスリーブ３のうちの挿入部３Ａに、ガイド部６が形成されている。ガイド部６は、ガイドスリーブ３の下端部から上方に向けて直線状に形成されたスリット状の部分であって、ガイドスリーブ３の周壁部をその板厚方向に貫通して形成されている。そのガイド部６は、その内部に挿入されるリフタースリーブ４にトルクを付与するためのものであり、したがってリフタースリーブ４に対して軸線方向（図１の上下方向）の分力が生じないように、軸線方向に沿って直線状に形成されていることが好ましいが、この発明では軸線方向に対して僅か傾斜していることを排除するものではない。さらに、ガイド部６は、軸線方向において、前述したボディーケース２の螺旋溝５が形成されている範囲とほぼ同じ範囲に形成されている。また、ガイド部６は、ガイドスリーブ３の円周方向での一箇所に限らず、例えば半径方向で対向する二箇所に形成することが好ましい。
【００２９】
ガイドスリーブ３の外周面のうち前記ガイド部６よりも上側の部分、より詳しくはボディーケース２の上端縁に相当する部分に、凸部７が形成されている。凸部７は、ガイドスリーブ３をボディーケース２に対して抜け止めするための部分であって、ガイドスリーブ３の外周側に帯状の突出したフランジ状もしくはビード状の部分である。この凸部７の上側に複数の第１クリック歯８が円周方向に一定間隔を空けて形成されている。図２に示す例では、これらの第１クリック歯８は、図３に拡大して示してあるように、軸線方向に向けて形成された断面円弧状の凹部である。
【００３０】
リフタースリーブ４は、上記のガイドスリーブ３の内周面に密接してガイドスリーブ３の内部を軸線方向（図１の上下方向）に移動する円筒状の部材であり、その一方の端部（下端部）の外周面には、前述したガイド部６を貫通して螺旋溝５にまで延びかつ螺旋溝５に係合している係合突起９が形成されている。したがって、ガイドスリーブ３をボディーケース２に対して回転させると、ガイドスリーブ３のガイド部６に係合突起９が回転方向（円周方向）に対して係合しているので、リフタースリーブ４がガイドスリーブ３と共に回転する。その場合、係合突起９が螺旋溝５に係合していて螺旋溝５に沿って移動するから、リフタースリーブ４は回転しつつ軸線方向に移動する。すなわち、係合突起９は螺旋溝５と共にネジ機構を構成している。
【００３１】
リフタースリーブ４は内容物を容器１の内部に保持し、かつ容器１から繰り出す（押し出す）ための部材であり、その他方の端部（上端部）にピストン１０が設けられている。このピストン１０は、円筒状のリフタースリーブ４の上端部を閉じて、ガイドスリーブ３の前述した延出部３Ｂと共に収容室１１を形成している。ピストン１０は、図１に断面形状を示すように、上端の円板部１０Ａとその外周部に一体に形成された円筒状のスカート部１０Ｂとを有し、図４に示すように、そのスカート部１０Ｂを、リフタースリーブ４の上端部の全周に亘って形成された取付溝４Ａに挿入することにより、ピストン１０はリフタースリーブ４に取り付けられている。なお、図４に示すように、スカート部１０Ｂと取付溝４Ａとのいずれか一方の全周に亘って凸条１２が形成され、他方に凸条１２を嵌合させた凹溝１３が形成されており、これらの凸条１２と凹溝１３とによって、ピストン１０がリフタースリーブ４に対して抜けないように、両者が一体化されている。
【００３２】
さらに、ピストン１０の外周部には、リップシール片部１４が設けられている。このリップシール片部１４は、収容室１１の密閉性を確保するためのものであり、図１に示すように、ピストン１０の外周部に斜め上向きに開くように形成された円筒状の部分である。このリップシール片部１４は、弾性を有するように薄肉に形成されていて、先端部がガイドスリーブ３の内周面に密接している。そして、斜め上方に向けて開いていることにより、収容室１１の内部の圧力により、ガイドスリーブ３の内周面に押し付けられるように構成されている。したがって、内容物を押し出すようにピストン１０が図１の上方に移動した場合、収容室の内部の圧力が増大するので、リップシール片部１４がその圧力の増大に応じて収容室１１の内周面に強く押し付けられ、その結果、収容室１１のシール性（密閉性）が高くなるようになっている。
【００３３】
ボディーケース２はその上端部に、この発明のリング部に相当するセンターリング１５を有している。センターリング１５は、前述したガイドスリーブ３のボディーケース２からの抜け止めを本来の機能とするものであるが、それ以外に以下に説明する機能を備えている。センターリング１５の一例を図５ないし図８に示してある。ここに示すセンターリング１５は、ボディーケース２の内径とほぼ等しい外径で、軸長の短い円筒状の部材であり、ほぼ下半分がボディーケース２の上端部の内部に嵌合させられる嵌合部１５Ａであり、この嵌合部１５Ａの上側に隣接する部分に、ボディーケース２の外径と等しい外径の凸条部１５Ｂが全周に亘って形成されている。センターリング１５はこの凸条部１５Ｂをボディーケース２の上端に突き当てた状態でボディーケース２に嵌合させられている。なお、嵌合部１５Ａとボディーケース２の上端内周部とには、前述した図４に示す凸条１２および凹溝１３と同様の嵌合構造が設けられていてその嵌合構造によってセンターリング１５とボディーケース２とが強固に一体化されている。この状態で嵌合部１５Ａの下端部が、前述したガイドスリーブ３の凸部７に突き当たっており、その結果、ガイドスリーブ３がボディーケース２に対して抜け止めされている。
【００３４】
センターリング１５の内周部で、前述したガイドスリーブ３における第１クリック歯８に対向する箇所に、第１クリック歯８と同程度の長さ（軸線方向での長さ）の内周スカート部１５Ｃが一体に設けられている。この内周スカート部１５Ｃは、下向きに開口した薄肉の円筒状の部分であり、その内周面には複数の第２クリック歯１６が形成されている。第２クリック歯１６は、前述した第１クリック歯８に弾性的に噛み合う係合歯であり、図６ないし図８に示すように、内周側に突出した縦長の凸部として形成されている。なお、各第２クリック歯１６の間隔（ピッチ）は、第１クリック歯８と一致している。また、第２クリック歯１６の断面形状は、第１クリック歯８の断面形状と対応するように凸円弧状になっている。さらに、各第２クリック歯１６同士の間にスリット（切り目）を入れて、各第２クリック歯１６が単独で弾性的に撓むように構成されていてよい。したがって、第１クリック歯８と第２クリック歯１６とは、ボディーケース２（センターリング１５）に対してガイドスリーブ３が強制的に回転させられることにより両者の噛み合いが外れ、また両者の円周方向での位置がほぼ一致することにより、前記内周スカート部１５Ｃの弾性力もしくは各クリック歯８，１６の弾性力で急激に噛み合うようになっている。すなわち、その急激な噛み合いにより、ガイドスリーブ３をボディーケース２に対して回転させるトルクが変化し、そのトルクの変化がクリック感（節度感）となるように構成されている。なお、第１クリック歯８と第２クリック歯１６との歯数および間隔（ピッチ）は、必ずしも同一とする必要はない。第１クリック歯８と第２クリック歯１６とのいずれか一方の歯数を他方の歯数より少なくして間隔（ピッチ）を広くすることも可能である。このように、歯数を減らして間隔（ピッチ）を広くすることにより、回転の際に噛み合う歯の数が少なくなり、回転に必要な力が小さくなるので、容易に回転させることができる。
【００３５】
センターリング１５の上端部の円周方向での所定の一箇所に窓孔１７が形成されている。この窓孔１７は、センターリング１５の内部を外部から視認できるようにするための部分であり、この発明における表示部あるいは窓孔に相当する部分である。図５ないし図７に示す例では、センターリング１５を内外に貫通した矩形状の切欠き部が窓孔１７になっている。
【００３６】
内容物を押し出すリフタースリーブ４は、前述したように、回転しつつ軸線方向に移動するから、リフタースリーブ４のうち上記の窓孔１７に軸線方向および半径方向で一致する箇所は、螺旋状に並んでいる箇所である。このような螺旋状の箇所にリフタースリーブ４の移動量あるいは内容物の繰り出し量を示す情報表記部１８が設けられている。その例を図９に示してある。図９に示す例は、数字の例であり、各数字同士の間隔は、前述した各クリック歯８，１６のピッチと一致していることが好ましい。これらの数字のうち、最も上部の先頭の数字は、リフタースリーブ４が最も下がった位置にある場合に窓孔１７に一致するようにリフタースリーブ４の外周面に付されており、例えば数字列の最初を意味する「１」である。このような数字列を情報表記部１８に設けた場合には、それらの数字が、上記のクリック歯８，１６によるクリック回数（クリック数）を表すことにもなり、したがってそれらの数字によって内容物の使用量あるいは残量を知ることができる。
【００３７】
この情報表記部１８は、ガイドスリーブ３の内周側に位置しているから、窓孔１７を通して情報表記部１８の表示内容（情報内容）を目視できるようにするために、ガイドスリーブ３には透光部（図示せず）が設けられている。この透光部は、要は、リフタースリーブ４に設けてある情報表記部１８を窓孔１７を通して目視できるように構成されていればよい。例えば内容物の全量を繰り出すのにガイドスリーブ３と共にリフタースリーブ４を１回転（３６０°）以上回転させるように構成されている場合には、窓孔１７に対応する位置の全周に亘る透明部分を透光部とし、あるいはガイドスリーブ３の全体を透明材料で構成してその全体を透光部とすることができる。また、数字同士のピッチと同じピッチでガイドスリーブ３の周壁部に形成した、前記窓孔１７と同形状の複数の貫通部分を透光部としてもよい。さらに、ガイドスリーブ３を１回転させることなく内容物の全量を繰り出すことができるように構成されている場合には、透光部はガイドスリーブ３の周壁部に円周方向に沿って形成されたスリット状の貫通部分であってもよい。
【００３８】
図１において符号１９はノズル部材を示す。ノズル部材１９は、内容物を軸状もしくは線状などの所定の形状に成形して押し出すための部材であって、ガイドスリーブ３の延出部３Ｂの外周側に嵌合させられる。ノズル部材１９は、天板部に一体に形成したノズルと、天板部の外周部にノズルとは反対の方向に延びて形成した円筒部とを有し、その円筒部をガイドスリーブ３の延出部３Ｂに嵌合させることにより、ガイドスリーブ３に取り付けられている。なお、円筒部を延出部３Ｂに固定するための構造は、前述した図４に示す凸条１２および凹溝１３と同様の嵌合構造であってよい。したがって収容室１１の上端部がノズル部材１９によって閉じられるとともに、ノズル部材１９の天板部に設けられているノズルが吐出口となる。
【００３９】
さらに、図１において符号２０はキャップを示す。キャップ２０は、防塵や保護のためにガイドスリーブ３における延出部３Ｂに被せるように構成されており、上記のノズル部材１９の上側を覆う天板部と、その天板部の外周部に一体化されている円筒部とを有している。円筒部は、上述したボディーケース２を延長した形状であって、ボディーケース２と同じ外径に形成されている。そして、この円筒部の開口端（下端）側の内径が、前述したセンターリング１５における上端部の外径に密着して嵌合する内径に設定されている。すなわち、キャップ２０は、センターリング１５に嵌合してボディーケース２に一体化され、その状態でノズル部材１９などのボディーケース２から延び出ている部分を覆うようになっている。したがって、キャップ２０をボディーケース２に取り付けた状態では、この発明における表示部に相当する窓孔１７がキャップ２０によって隠蔽される。そのため、窓孔１７やここから目視できる情報表記部１８が容器１の意匠の阻害要因あるいは制約要因になることが回避されている。
【００４０】
上述したこの発明に係る容器１では、ボディーケース２と、ボディーケース２から延び出ているガイドスリーブ３とを掴んで、両者を相対的に左回転させると、リフタースリーブ４が螺旋溝５およびこれに係合している係合突起９とからなるネジ機構によってボディーケース２の底部側に移動する。あるいはリフタースリーブ４をボディーケース２の底部にまで後退（下降）させた状態で両者を組み付ける。その状態で、収容室１１に高粘度の適宜の内容物を入れ、その後、ノズル部材１９をガイドスリーブ３の延出部３Ｂに嵌合させる。なお、内容物が口紅やステック糊などの固形物であれば、その内容物を収容室１１に充填するのみで、ノズル部材１９はガイドスリーブ３の延出部３Ｂに取り付けないこととしてもよい。この状態が初期状態もしくは出荷前の状態であり、窓孔１７に対応する位置には、情報表記部１８における初期値もしくは初期表示が表れている。その窓孔１７や情報表記部１８は、キャップ２０をガイドスリーブ３の延出部３Ｂに被せてセンターリング１５に嵌合させることにより、キャップ２０によって隠蔽され、容器１の外部には現れない。
【００４１】
キャップ２０を取り外して、ガイドスリーブ３とボディーケース２とを相対的に右回りに回転させると、前記ガイド部６と係合突起９とからなるネジ機構の作用によってリフタースリーブ４がガイドスリーブ３の内部を軸線方向で上側に押し上げられる。すなわち、収容室１１の内部の内容物がピストン１０に押されてノズル部材１９の吐出口から押し出される。ガイドスリーブ３とボディーケース２との相対回転角度が、前述したクリック歯８，１６の１ピッチ（１歯）分の回転角度になると、各クリック歯８，１６が再度弾性力で噛み合い、クリック感が生じる。こうして１ピッチ分の量の内容物が押し出される。併せて、リフタースリーブ４は回転しつつ上昇していわゆる螺旋運動するから、螺旋状に記載されている情報表記部１８の第２番目の内容が窓孔１７の部分に表れ、窓孔１７から目視できる情報内容が、１ピッチ分の量を表す内容に切り替わる。なお、窓孔１７から見える情報内容を見つつ、ガイドスリーブ３を回転させて希望する量の内容物を押し出すこともできる。いずれにしても、需要者（使用者）が意図する定量の内容物を押し出す（繰り出させる）ことができる。また、その情報内容は、リフタースリーブ４の軸線方向での位置に対応しているから、その情報内容によって内容物の残量を知ることもできる。
【００４２】
このようにこの発明に係る上記の容器１では、内容物を収容し、また繰り出すための基本的な構成部材であるボディーケース２ならびにガイドスリーブ３およびリフタースリーブ４の一部に加工を施すことにより、意図する定量の内容物を繰り出すことができ、また残量を知ることができる。そのため、この発明の容器１によれば、押し出し量を定量化するために付加する部材が皆無であって、全体としての構成を簡素化し、また低廉化することができる。
【００４３】
なお、ガイドスリーブ３とボディーケース２との回転方向を、内容物を繰り出すことのできる方向（正回転方向）のみとすれば、窓孔１７から目視できる情報内容の変化が常時、内容物の繰り出し容量と一致することになる。そのためのラチェット機構について説明する。図１０ないし図１２は、ガイドスリーブ３とセンターリング１５とにラチェット歯８Ａ，１６Ａを形成した例である。図１０に示すようにガイドスリーブ３には、前述した第１クリック歯８に替えて第１ラチェット歯８Ａが設けられ、またセンターリング１５には、前述した第２クリック歯１６に替えて第２ラチェット歯１６Ａが設けられている。前記リフタースリーブ４を上昇させるようにガイドスリーブ３とボディーケース２とを相対回転させる回転方向を正回転方向とした場合、第１ラチェット歯８Ａは、ガイドスリーブ３のボディーケース２に対する正回転方向での前方側の歯面が円周方向に対して傾斜の緩い歯面となり、これとは反対側の歯面が円周方向に対して立ち上がった急傾斜の歯面となっている係合歯である。これに対して第２ラチェット歯１６Ａは、上記の第１ラチェット歯８Ａと対称形状の係合歯であり、ボディーケース２のガイドスリーブ３に対する正回転方向での前方側の歯面が円周方向に対して傾斜の緩い歯面となり、これとは反対側の歯面が円周方向に対して立ち上がった急傾斜の歯面となっている係合歯である。
【００４４】
したがって、ボディーケース２（センターリング１５）とガイドスリーブ３とを正回転方向に相対回転させた場合、図１２に示すように、各ラチェット歯８Ａ，１６Ａは傾斜の緩い歯面で接触するので、少なくともいずれか一方のラチェット歯８Ａ，１６Ａがボディーケース２あるいはガイドスリーブ３の半径方向に弾性的に撓み、これらのラチェット歯８Ａ，１６Ａ同士の噛み合いが外れる。すなわち、ボディーケース２（センターリング１５）とガイドスリーブ３とを相対的に正回転させて内容物を繰り出す（押し出す）ことができる。ボディーケース２（センターリング１５）とガイドスリーブ３とを、正回転方向とは反対の負回転方向に回転させるようにトルクを掛けた場合、各ラチェット歯８Ａ，１６Ａの急傾斜の歯面が互いに当接するので、それらのラチェット歯８Ａ，１６Ａの噛み合いが外れず、そのため、ボディーケース２（センターリング１５）とガイドスリーブ３とを相対的な負回転方向に回転させることができない。負回転方向の回転は、リフタースリーブ４をボディーケース２の内部に下降させる（引き込む）方向の回転であるから、上記のラチェット機構を設けた場合には、内容物を繰り出すことができるものの、ガイドスリーブ３の内部に引き戻すことができない。
【００４５】
上記のようにラチェット機構を設けた場合には、リフタースリーブ４あるいはピストン１０が引き戻されたり、それに伴って収容室１１の内部に空間が生じたりせずに、常時、収容室１１が内容物によって満たされていることになる。そのため、窓孔１７から見える情報内容は、内容物の残量と一致する。また、ガイドスリーブ３とボディーケース２とを回転させることのできる方向は正回転方向に限られるから、ガイドスリーブ３とボディーケース２とを相対回転させれば、その回転角度に応じた量の内容物を繰り出すことができる。その場合、上記のラチェット歯８Ａ，１６Ａによっていわゆるクリック感（節度感）を得られるので、１ピッチに応じた定量ずつ、内容物を繰り出すことができる。
【００４６】
必要量の内容物を繰り出して消費した後、キャップ２０をガイドスリーブ３の延出部３Ｂを覆うように被せ、センターリング１５に嵌合させる。こうすることにより、ノズル部材１９における突出口がキャップ２０によって遮蔽され、塵埃の侵入や外力による損傷などから保護される。併せて、窓孔１７がキャップ２０によって隠蔽されるので、窓孔１７が容器１の意匠の阻害要因あるいは制約要因となることがない。
【００４７】
この発明に係る定量繰り出し容器では、上記の具体例に基づいて説明したように、ガイドスリーブ３はボディーケース２に対して相対回転するのみであって、その軸線方向に移動することはなく、またその相対回転角度が内容物の繰り出し量（押し出し量）に一致している。したがって、この発明では、情報表記部をガイドスリーブの外周面に設け、表示部としての基準マークをボディーケースに設けてもよい。具体的には、前述したセンターリング１５の上端縁の所定の箇所に基準マークを設け、またガイドスリーブ３の外周面のうちセンターリング１５の上端縁に沿う円周上の位置に、情報表記部として適宜の目盛りを付し、基準マークに一致する目盛りによって繰り出し量を示すように構成してもよい。
【００４８】
また、この発明における情報表記部の情報内容は、数字である必要はなく、長さで量を表す棒グラフに類似した表示、点（ドット）や星マークなどの数による表示、これらに色彩を加味した表示など、視覚的に捉えられる表示であればよい。
【００４９】
以上、この発明を具体例に則して説明したが、この発明は上述した具体例に限定されないのであって、特許請求の範囲に記載した事項の範囲内で適宜変更してもよい。
【符号の説明】
【００５０】
１…容器、  ２…ボディーケース、  ３…ガイドスリーブ、  ３Ａ…挿入部、  ３Ｂ…延出部、  ４…リフタースリーブ、  ４Ａ…取付溝、  ５…螺旋溝、  ６…ガイド部、  ７…凸部、  ８，１６…クリック歯、  ８Ａ，１６Ａ…ラチェット歯、  ９…係合突起、  １０…ピストン、  １０Ａ…円板部、  １０Ｂ…スカート部、  １１…収容室、  １２…凸条、  １３…凹溝、  １４…リップシール片部、  １５…センターリング、  １５Ａ…嵌合部、  １５Ｂ…凸条部、  １５Ｃ…内周スカート部、  １７…窓孔、  １８…情報表記部、  １９…ノズル部材、  ２０…キャップ。
【図１】
2020081188.tif 000003
【図２】
2020081188.tif 000004
【図３】
2020081188.tif 000005
【図４】
2020081188.tif 000006
【図５】
2020081188.tif 000007
【図６】
2020081188.tif 000008
【図７】
2020081188.tif 000009
【図８】
2020081188.tif 000010
【図９】
2020081188.tif 000011
【図１０】
2020081188.tif 000012
【図１１】
2020081188.tif 000013
【図１２】
2020081188.tif 000014